(57)【要約】【課題】本発明は水晶貯蔵箱を開示した。【解決手段】水晶箱本体を含み、前記水晶箱本体の内部には貯蔵チャンバが設けられ、前記貯蔵チャンバの右端壁には右方に開口した第一空きチャンバが連通するように設けられ、前記第一空きチャンバの頂壁には右方に開口した第二空きチャンバが設けられ、前記第二空きチャンバの頂壁の中には三段階スイッチ機構が設けられ、前記第二空きチャンバの左側端壁には第一スライド溝が連通するように設けられ、前記第一スライド溝の中には第一スライドロッドがスライドできるように設けられ、本装置の水晶貯蔵箱は、反応が快速であり、アクセサリーを出して近距離に観察でき、展示効果がよく、同時に、本発明の装置は安全で信頼でき、操作が簡単であり、使用寿命が長い。【選択図】図１
2020179085.tif 000002
【特許請求の範囲】
【請求項１】
水晶箱本体を含み、前記水晶箱本体の内部には貯蔵チャンバが設けられ、前記貯蔵チャンバの右端壁には右方に開口した第一空きチャンバが連通するように設けられ、前記第一空きチャンバの頂壁には右方に開口した第二空きチャンバが設けられ、前記第二空きチャンバの頂壁の中には三段階スイッチ機構が設けられ、前記第二空きチャンバの左側端壁には第一スライド溝が連通するように設けられ、前記第一スライド溝の中には第一スライドロッドがスライドできるように設けられ、前記第一スライドロッドの前後端面には第一ラックが固定的に設けられ、前記第二空きチャンバと前記第一空きチャンバには第一回転軸が前後に対称的に回転できるように設けられ、前記第一回転軸の頂端には前記第一ラックと噛合する第一歯車が固定的に設けられ、前記第一回転軸の底端には水晶仕切板が固定的に設けられ、前記貯蔵チャンバと前記第一空きチャンバの底端とには右方に開口した第二スライド溝が連通するように設けられ、前記第二スライド溝の左端壁の中には第三空きチャンバが設けられ、前記第三空きチャンバと前記第二スライド溝との間には第二回転軸が回転できるように設けられ、前記第二スライド溝の中の前記第二回転軸にはねじロッドが左右に対称的に固定的に設けられ、二つの前記ねじロッドの間に位置している前記第二回転軸には弧形軸スリーブが接触できるように設けられ、前記弧形軸スリーブと前記第二スライド溝の底面との間には支持ロッドが連結され、前記第二スライド溝の中にはスライドブロックがスライドできるように設けられ、前記スライドブロックの中には前記ねじロッドと噛合する雌ねじが設けられ、前記スライドブロックの底壁には下方に開口した凹溝が左右に貫通するように設けられ、前記スライドブロックの頂面には固定ブロックが固定的に設けられ、前記固定ブロックの頂壁には第三回転軸が回転できるように設けられ、前記第三回転軸の頂端には展示台と前記展示台の下側に位置している第二歯車とが固定的に設けられ、前記第三空きチャンバの左端壁の中には第一モーターが固定的に設けられ、前記第一モーターの右端には第一駆動軸が伝動できるように連結され、前記第一駆動軸には第一円盤が固定的に設けられ、前記第一駆動軸の右端には前記第一駆動軸と前記第二回転軸と噛合できるスプラインスリーブがスライドできるように設けられ、前記スプラインスリーブには第二円盤が固定的に設けられ、前記第二円盤と前記第一円盤の右端面との間には第一バネが連結され、前記第一モーターの頂壁には右方に開口した第三スライド溝が設けられ、前記第三スライド溝の中には前記第二円盤と接触している押しロッドがスライドできるように設けられ、前記押しロッドと前記第一スライドロッドとの間には液圧管が伝動できるように設けられ、前記貯蔵チャンバの左端面には前記第一モーターと電気によって接続された緊急止めスイッチが固定的に設けられ、前記固定ブロックの左端面には前記緊急止めスイッチと接触しているプッシュロッドが固定的に設けられ、
前記第一スライドロッドがスライドし二つの前記水晶仕切板を反対方向に回転連動させ、同時に前記第一スライドロッドが前記液圧管により前記押しロッドを連動させ前記第二円盤を押させることができ、前記スプラインスリーブが右にスライドし前記第二回転軸と噛合し、すなわち前記第一駆動軸が前記ねじロッドに運動エネルギーを伝達することができることを特徴とする水晶貯蔵箱。
【請求項２】
前記貯蔵チャンバの左端壁には第四空きチャンバが連通するように設けられ、前記第四空きチャンバの底壁には第二モーターが固定的に設けられ、前記第二モーターの頂端には第二駆動軸が伝動できるように連結され、前記第二駆動軸の頂端には前記第二歯車と噛合する第三歯車が固定的に設けられ、
これにより、前記第二モーターが前記第三歯車を回転連動させ、前記展示台がゆっくりと回転し前記貯蔵チャンバの中に展示されることを特徴とする請求項１に記載の水晶貯蔵箱。
【請求項３】
前記三段階スイッチ機構は前記第二空きチャンバの頂壁の中に位置しており、且つ右方に開口した回転チャンバを含み、前記回転チャンバの中には第四回転軸が回転できるように設けられ、前記第四回転軸には第四歯車と前記第四歯車の前側に位置している回しロッドとが固定的に設けられ、前記回しロッドと前記回転チャンバの上下端壁の間には第二バネが連結され、前記回転チャンバの底壁には第四スライド溝が連通するように設けられ、前記第四スライド溝の中には第二スライドロッドがスライドできるように設けられ、前記第二スライドロッドの頂面には前記第四歯車と噛合する第二ラックが固定的に設けられ、前記第四スライド溝の左端壁には前記第一モーターと電気によって接続された正転スイッチが固定的に設けられ、前記第四スライド溝の右端壁には前記第一モーターと電気によって接続された逆転スイッチが固定的に設けられ、
これにより、手で前記回しロッドを回し、前記回しロッドが前記第四歯車を回転連動させ、前記第四歯車が前記第二スライドロッドを左右にスライドさせて前記正転スイッチと前記逆転スイッチとをそれぞれ押すことを特徴とする請求項１に記載の水晶貯蔵箱。
【発明の詳細な説明】
【技術分野】
【０００１】
本発明は貯蔵箱分野を取り上げて、具体的には水晶貯蔵箱である。
【背景技術】
【０００２】
一般的な貯蔵用小箱はアクセサリーの展示に使われる時、アクセサリーを箱の内部にしかロックできなく、客が近距離でアクセサリーを見たい時、店員を呼び単独に箱を開けさせる必要があり、非常に不便であり、アクセサリーの特殊性により、外に晒されて摩損が発生することを防止するため、通常の時に箱内部に収納すべきであり、同時に箱も展示に便利で操作が簡単でわかりやすくする方がよく、
従って、水晶貯蔵箱を設計し上記の問題を解決する必要がある。
【先行技術文献】
【特許文献】
【０００３】
【特許文献１】中国特許出願公開第１０２１５２９０８号明細書
【発明の概要】
【発明が解決しようとする課題】
【０００４】
本発明の目的は水晶貯蔵箱を提供し、それは上記の現在の技術中の問題を解決できる。
【課題を解決するための手段】
【０００５】
上記の課題を解決するため、本発明は以下の技術プランを採用する：本発明の水晶貯蔵箱は、水晶箱本体を含み、前記水晶箱本体の内部には貯蔵チャンバが設けられ、前記貯蔵チャンバの右端壁には右方に開口した第一空きチャンバが連通するように設けられ、前記第一空きチャンバの頂壁には右方に開口した第二空きチャンバが設けられ、前記第二空きチャンバの頂壁の中には三段階スイッチ機構が設けられ、前記第二空きチャンバの左側端壁には第一スライド溝が連通するように設けられ、前記第一スライド溝の中には第一スライドロッドがスライドできるように設けられ、前記第一スライドロッドの前後端面には第一ラックが固定的に設けられ、前記第二空きチャンバと前記第一空きチャンバには第一回転軸が前後に対称的に回転できるように設けられ、前記第一回転軸の頂端には前記第一ラックと噛合する第一歯車が固定的に設けられ、前記第一回転軸の底端には水晶仕切板が固定的に設けられ、前記貯蔵チャンバと前記第一空きチャンバの底端とには右方に開口した第二スライド溝が連通するように設けられ、前記第二スライド溝の左端壁の中には第三空きチャンバが設けられ、前記第三空きチャンバと前記第二スライド溝との間には第二回転軸が回転できるように設けられ、前記第二スライド溝の中の前記第二回転軸にはねじロッドが左右に対称的に固定的に設けられ、二つの前記ねじロッドの間に位置している前記第二回転軸には弧形軸スリーブが接触できるように設けられ、前記弧形軸スリーブと前記第二スライド溝の底面との間には支持ロッドが連結され、前記第二スライド溝の中にはスライドブロックがスライドできるように設けられ、前記スライドブロックの中には前記ねじロッドと噛合する雌ねじが設けられ、前記スライドブロックの底壁には下方に開口した凹溝が左右に貫通するように設けられ、前記スライドブロックの頂面には固定ブロックが固定的に設けられ、前記固定ブロックの頂壁には第三回転軸が回転できるように設けられ、前記第三回転軸の頂端には展示台と前記展示台の下側に位置している第二歯車とが固定的に設けられ、前記第三空きチャンバの左端壁の中には第一モーターが固定的に設けられ、前記第一モーターの右端には第一駆動軸が伝動できるように連結され、前記第一駆動軸には第一円盤が固定的に設けられ、前記第一駆動軸の右端には前記第一駆動軸と前記第二回転軸と噛合できるスプラインスリーブがスライドできるように設けられ、前記スプラインスリーブには第二円盤が固定的に設けられ、前記第二円盤と前記第一円盤の右端面との間には第一バネが連結され、前記第一モーターの頂壁には右方に開口した第三スライド溝が設けられ、前記第三スライド溝の中には前記第二円盤と接触している押しロッドがスライドできるように設けられ、前記押しロッドと前記第一スライドロッドとの間には液圧管が伝動できるように設けられ、前記貯蔵チャンバの左端面には前記第一モーターと電気によって接続された緊急止めスイッチが固定的に設けられ、前記固定ブロックの左端面には前記緊急止めスイッチと接触しているプッシュロッドが固定的に設けられ、
前記第一スライドロッドがスライドし二つの前記水晶仕切板を反対方向に回転連動させ、同時に前記第一スライドロッドが前記液圧管により前記押しロッドを連動させ前記第二円盤を押させることができ、前記スプラインスリーブが右にスライドし前記第二回転軸と噛合し、すなわち前記第一駆動軸が前記ねじロッドに運動エネルギーを伝達することができる。
【０００６】
優選の技術プランとして、前記貯蔵チャンバの左端壁には第四空きチャンバが連通するように設けられ、前記第四空きチャンバの底壁には第二モーターが固定的に設けられ、前記第二モーターの頂端には第二駆動軸が伝動できるように連結され、前記第二駆動軸の頂端には前記第二歯車と噛合する第三歯車が固定的に設けられ、
これにより、前記第二モーターが前記第三歯車を回転連動させ、前記展示台がゆっくりと回転し前記貯蔵チャンバの中に展示される。
【０００７】
優選の技術プランとして、前記三段階スイッチ機構は前記第二空きチャンバの頂壁の中に位置しており、且つ右方に開口した回転チャンバを含み、前記回転チャンバの中には第四回転軸が回転できるように設けられ、前記第四回転軸には第四歯車と前記第四歯車の前側に位置している回しロッドとが固定的に設けられ、前記回しロッドと前記回転チャンバの上下端壁の間には第二バネが連結され、前記回転チャンバの底壁には第四スライド溝が連通するように設けられ、前記第四スライド溝の中には第二スライドロッドがスライドできるように設けられ、前記第二スライドロッドの頂面には前記第四歯車と噛合する第二ラックが固定的に設けられ、前記第四スライド溝の左端壁には前記第一モーターと電気によって接続された正転スイッチが固定的に設けられ、前記第四スライド溝の右端壁には前記第一モーターと電気によって接続された逆転スイッチが固定的に設けられ、
これにより、手で前記回しロッドを回し、前記回しロッドが前記第四歯車を回転連動させ、前記第四歯車が前記第二スライドロッドを左右にスライドさせて前記正転スイッチと前記逆転スイッチとをそれぞれ押す。
【発明の効果】
【０００８】
本装置の水晶貯蔵箱は、反応が快速であり、アクセサリーを出して近距離に観察でき、展示効果がよく、同時に、本発明の装置は安全で信頼でき、操作が簡単であり、使用寿命が長い。
【図面の簡単な説明】
【０００９】
説明しやすいため、本発明は以下の具体的な実施例と付図を交え詳しく説明する。
【００１０】
【図１】図１は本発明の水晶貯蔵箱の全体構成略図
【図２】図２は図１のＡ−Ａの構成略図
【図３】図３は図１のＢ−Ｂの構成略図
【図４】図４は図１のＣの拡大構成略図
【図５】図５は図１のＤの拡大構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
以下、図１〜５を合わせて本発明について詳しく説明し、また、説明の便利を図るため、下記に記載の上下左右前後方向が図１自身の投影関係の上下左右前後方向と一致することにする。
【００１３】
図１〜５に示したように、本発明の水晶貯蔵箱は、水晶箱本体１０を含み、前記水晶箱本体１０の内部には貯蔵チャンバ２６が設けられ、前記貯蔵チャンバ２６の右端壁には右方に開口した第一空きチャンバ２８が連通するように設けられ、前記第一空きチャンバ２８の頂壁には右方に開口した第二空きチャンバ３０が設けられ、前記第二空きチャンバ３０の頂壁の中には三段階スイッチ機構９０が設けられ、前記第二空きチャンバ３０の左側端壁には第一スライド溝４０が連通するように設けられ、前記第一スライド溝４０の中には第一スライドロッド４４がスライドできるように設けられ、前記第一スライドロッド４４の前後端面には第一ラック４３が固定的に設けられ、前記第二空きチャンバ３０と前記第一空きチャンバ２８には第一回転軸４１が前後に対称的に回転できるように設けられ、前記第一回転軸４１の頂端には前記第一ラック４３と噛合する第一歯車４２が固定的に設けられ、前記第一回転軸４１の底端には水晶仕切板２７が固定的に設けられ、前記貯蔵チャンバ２６と前記第一空きチャンバ２８の底端とには右方に開口した第二スライド溝２１が連通するように設けられ、前記第二スライド溝２１の左端壁の中には第三空きチャンバ１６が設けられ、前記第三空きチャンバ１６と前記第二スライド溝２１との間には第二回転軸５８が回転できるように設けられ、前記第二スライド溝２１の中の前記第二回転軸５８にはねじロッド２０が左右に対称的に固定的に設けられ、二つの前記ねじロッド２０の間に位置している前記第二回転軸５８には弧形軸スリーブ６２が接触できるように設けられ、前記弧形軸スリーブ６２と前記第二スライド溝２１の底面との間には支持ロッド６３が連結され、前記第二スライド溝２１の中にはスライドブロック１７がスライドできるように設けられ、前記スライドブロック１７の中には前記ねじロッド２０と噛合する雌ねじ１８が設けられ、前記スライドブロック１７の底壁には下方に開口した凹溝１９が左右に貫通するように設けられ、前記スライドブロック１７の頂面には固定ブロック２２が固定的に設けられ、前記固定ブロック２２の頂壁には第三回転軸２３が回転できるように設けられ、前記第三回転軸２３の頂端には展示台２５と前記展示台２５の下側に位置している第二歯車２４とが固定的に設けられ、前記第三空きチャンバ１６の左端壁の中には第一モーター５３が固定的に設けられ、前記第一モーター５３の右端には第一駆動軸５４が伝動できるように連結され、前記第一駆動軸５４には第一円盤５５が固定的に設けられ、前記第一駆動軸５４の右端には前記第一駆動軸５４と前記第二回転軸５８と噛合できるスプラインスリーブ５９がスライドできるように設けられ、前記スプラインスリーブ５９には第二円盤５７が固定的に設けられ、前記第二円盤５７と前記第一円盤５５の右端面との間には第一バネ５６が連結され、前記第一モーター５３の頂壁には右方に開口した第三スライド溝５２が設けられ、前記第三スライド溝５２の中には前記第二円盤５７と接触している押しロッド５１がスライドできるように設けられ、前記押しロッド５１と前記第一スライドロッド４４との間には液圧管１１が伝動できるように設けられ、前記貯蔵チャンバ２６の左端面には前記第一モーター５３と電気によって接続された緊急止めスイッチ６０が固定的に設けられ、前記固定ブロック２２の左端面には前記緊急止めスイッチ６０と接触しているプッシュロッド６１が固定的に設けられ、
前記第一スライドロッド４４がスライドし二つの前記水晶仕切板２７を反対方向に回転連動させ、同時に前記第一スライドロッド４４が前記液圧管１１により前記押しロッド５１を連動させ前記第二円盤５７を押させることができ、前記スプラインスリーブ５９が右にスライドし前記第二回転軸５８と噛合し、すなわち前記第一駆動軸５４が前記ねじロッド２０に運動エネルギーを伝達することができる。
【００１４】
有益的には、前記貯蔵チャンバ２６の左端壁には第四空きチャンバ１２が連通するように設けられ、前記第四空きチャンバ１２の底壁には第二モーター１５が固定的に設けられ、前記第二モーター１５の頂端には第二駆動軸１４が伝動できるように連結され、前記第二駆動軸１４の頂端には前記第二歯車２４と噛合する第三歯車１３が固定的に設けられ、
これにより、前記第二モーター１５が前記第三歯車１３を回転連動させ、前記展示台２５がゆっくりと回転し前記貯蔵チャンバ２６の中に展示される。
【００１５】
有益的には、前記三段階スイッチ機構９０は前記第二空きチャンバ３０の頂壁の中に位置しており、且つ右方に開口した回転チャンバ３１を含み、前記回転チャンバ３１の中には第四回転軸４９が回転できるように設けられ、前記第四回転軸４９には第四歯車４７と前記第四歯車４７の前側に位置している回しロッド４８とが固定的に設けられ、前記回しロッド４８と前記回転チャンバ３１の上下端壁の間には第二バネ５０が連結され、前記回転チャンバ３１の底壁には第四スライド溝３４が連通するように設けられ、前記第四スライド溝３４の中には第二スライドロッド４５がスライドできるように設けられ、前記第二スライドロッド４５の頂面には前記第四歯車４７と噛合する第二ラック３３が固定的に設けられ、前記第四スライド溝３４の左端壁には前記第一モーター５３と電気によって接続された正転スイッチ３５が固定的に設けられ、前記第四スライド溝３４の右端壁には前記第一モーター５３と電気によって接続された逆転スイッチ４６が固定的に設けられ、
これにより、手で前記回しロッド４８を回し、前記回しロッド４８が前記第四歯車４７を回転連動させ、前記第四歯車４７が前記第二スライドロッド４５を左右にスライドさせて前記正転スイッチ３５と前記逆転スイッチ４６とをそれぞれ押す。
【００１６】
以下、付図及び上記説明した本出願の水晶貯蔵箱の具体的な構成を参照し、使用方法を詳しく紹介する：
【００１７】
客が近距離でアクセサリーを観察したいまたは触りたい時に、手で前記第一スライドロッド４４を押し、前記第一スライドロッド４４が前記第一ラック４３により前記第一歯車４２を回転連動させ、二つの前記水晶仕切板２７が互いに反対側に回転し第一空きチャンバ２８を密封しなくなり、そして前記回しロッド４８を押し、前記回しロッド４８が前記第四歯車４７を回転連動させ、前記第四歯車４７が前記第二スライドロッド４５を連動させ左へ前記正転スイッチ３５に押させ、前記正転スイッチ３５が前記第一モーター５３を正転させ、同時に、前記第一スライドロッド４４が前記液圧管１１により前記押しロッド５１を連動させ前記第二円盤５７を押すことができ、前記スプラインスリーブ５９が右にスライドし前記第二回転軸５８と噛合し、すなわち前記第一駆動軸５４が前記ねじロッド２０を回転連動させることができ、前記スライドブロック１７が前記雌ねじ１８により前記展示台２５と固定ブロック２２とを右にスライドさせて前記貯蔵チャンバ２６から出し、その時客が展示台２５にあるアクセサリーを近距離に触れるまたは見ることができ、操作が簡単でわかりやすく、反応が快速である。
【００１８】
アクセサリーを箱の中に回収する時、回しロッド４８を上げ、その時逆転スイッチ４６が押されて前記第一モーターを反転させ、前記プッシュロッド６１が前記緊急止めスイッチ６０を押す時、前記第一モーター５３が緊急に止め、その時前記第二歯車２４が再び前記第三歯車１３と噛合し前記展示台２５をゆっくりと展示させ、装置が簡単でわかりやすく、そして前記第二空きチャンバ３０を抜き出し、前記押しロッド５１が前記第二円盤５７を押さなくなり、前記スプラインスリーブ５９と前記第二回転軸５８が伝動協働から離れ、間違って触ることにより前記展示台２５が出ることを防止し、装置が安全で信頼でき、使用寿命が長い。
【００１９】
以上のように、本装置の水晶貯蔵箱は、反応が快速であり、アクセサリーを出して近距離に観察でき、展示効果がよく、
同時に、本発明の装置は安全で信頼でき、操作が簡単であり、使用寿命が長い。
【００２０】
以上に述べたのはただ本発明の具体的な実施方式で、本発明の保護範囲はここに限らないである。全部の創造的な労働を通じなく思いついた変化と取替は本発明の保護範囲にカバーされる。
【図１】
2020179085.tif 000003
【図２】
2020179085.tif 000004
【図３】
2020179085.tif 000005
【図４】
2020179085.tif 000006
【図５】
2020179085.tif 000007